(57)【要約】【課題】車載ソフトウェア統合通信装置において、ベースバンド処理部で、複数の通信方式に対応するそれぞれのベースバンド信号を同時に復調処理できるようする。【解決手段】直交復調器１５４は、受信ダウンコンバートミキサ１５２と共に、２つ以上の通信方式のそれぞれに対応するＲＦ信号を、それぞれ、隣接する周波数帯域のベースバンド信号にダウンコンバートする。ここで、１つのベースバンド処理部１３０により、それぞれ隣接する周波数帯域のベースバンド信号が、複数の通信方式に対応するそれぞれのベースバンド信号として扱われるため、それぞれのベースバンド信号が互いにノイズになることなく、複数の通信方式に対応するそれぞれのベースバンド信号が同時に復調処理される。【選択図】　　　　図３
2004023358.tif 000002
【特許請求の範囲】
【請求項１】
複数の通信方式に対応して無線通信を行うことができる統合通信装置であって、
複数の通信方式のＲＦ信号を受信するＲＦ受信部（１１０、１７０、１５０、１５１）と、
個々に異なる発振周波数で発振して複数の発振信号を出力する発振部（１５５〜１５７、１６２）と、
前記出力された複数の発振信号に基づき、前記複数の通信方式のＲＦ信号を個々に隣接する周波数帯域のベースバンド信号にダウンコンバートする周波数変換部（１５２〜１５４）と、
前記個々のベースバンド信号に基づき、前記複数の通信方式に対応する復調処理を同時行うベースバンド処理部（１３０）と、を有することを特徴とする統合通信装置。
【請求項２】
前記ベースバンド処理部が処理可能である周波数帯域幅の範囲内で、前記ベースバンド信号の周波数域が個々に離れていることを特徴とする請求項１に記載の統合通信装置。
【請求項３】
前記発振部は、前記複数の通信方式のＲＦ信号の個々に対応して個々に異なる発振周波数で発振して複数の発振信号を出力する第１の発振部（１５５〜１５７）を有し、
前記周波数変換部は、
前記第１の発振部から出力される複数の発振信号に基づき、前記複数の通信方式のＲＦ信号を個々に隣接する周波数帯域の中間信号にダウンコンバートするＲＦ変換部（１５２）と、
前記個々の周波数帯域の中間信号のうち、所定周波数帯域の周波数成分だけをフィルタ出力として出力するバンドパスフィルタ（１５３）とを有し、
また、前記発振部は、前記個々に隣接する周波数帯域の中間信号のうち、最も低い周波数帯域の中間信号に対応する発振周波数にて発振する第２の発振部（１６２）を有し、
さらに、前記周波数変換部は、前記第２の発振部からの発振出力に基づき、前記バンドパスフィルタからのフィルタ出力を前記個々に隣接する周波数帯域のベースバンド信号にダウンコンバートする第２の変換部（１５４）を有し、
前記個々に隣接する周波数帯域のベースバンド信号をデジタル信号に変換するデジタル変換手段（１６１ａ、１６１ｃ）を有し、前記ベースバンド処理部は、前記変換されたデジタル信号に基づき、前記複数の通信方式に対応する復調処理を同時行うことを特徴とする請求項１または２に記載の統合通信装置。
【請求項４】
複数の通信方式に対応して無線通信を行うことができる統合通信装置であって、
前記複数の通信方式のベースバンド信号を同時に個々に隣接する周波数帯域にて出力するベースバンド処理部と、
前記複数の通信方式の対応して個々に異なる発振周波数で発振して複数の発振信号を出力する送信発振部と、
前記出力された複数の発振信号に基づき、前記複数の通信方式のベースバンド信号を個々に隣接する周波数帯域のＲＦ信号にアップコンバートする送信周波数変換部と、
前記アップコンバートされた個々のＲＦ信号を同時に送信するための送信ＲＦ送信部と、を有することを特徴とする統合通信装置。
【発明の詳細な説明】
【０００１】
【発明の属する技術分野】
本発明は、複数の通信方式の対応して無線通信を行うことのできる統合通信装置に関する。
【０００２】
【従来の技術および発明が解決しようとする課題】
従来、複数の通信方式に対応して無線通信を行うため通信装置が各種提案されている（特開平１０−２１５２００号公報参照）。例えば、、複数のＲＦ信号を受信するためのアンテナを備えるとともに、このアンテナで受信されたＲＦ信号をＩＦ信号にダウンコンバートする変換回路を通信方式毎に備えている通信装置がある。
【０００３】
このものにおいては、複数の通信方式に個々に対応する変換回路のうち、１つの変換回路を選択するための切換リレーと、このリレーにより選択された変換回路の出力を復調するベースバンド回路とが設けられている。このため、リレーによって、通信方式Ａに対応する変換回路から通信方式Ｂに対応する変換回路に切り換えることにより、ベースバンド回路では、通信方式Ａでなはなく、通信方式Ｂに対応する変換回路の出力を復調する。このことにより、通信方式Ａに代えて通信方式Ｂに対応する復調信号を出力させることができる。
【０００４】
しかし、通信方式Ａから通信方式Ｂに、切れ目なく、切り換えるためには、通信方式を切り換える期間中に、通信方式Ａ、Ｂのそれぞれのベースバンド信号を同時に復調できるようにしておく必要がある。例えば、ベースバンド回路を通信方式毎に設ければ、通信方式Ａ、Ｂのそれぞれのベースバンド信号を同時に、復調できるようになることも考えられるものの、回路規模の増大化を招くことになる。
【０００５】
そこで、特開平１１−５５３３６号公報、特開２００１−１１９２９８号公報、特開平１１−８８２２０号公報等で例示されているように、ベースバンド回路としてプログラマブルなＤＳＰ等を用いて、１つのベースバンド回路で対応することについて検討した。
【０００６】
すなわち、プログラミングにより、ベースバンド回路としては、通信方式Ａ、Ｂのそれぞれのベースバンド信号を同時に復調処理できように構成することを考えた。
【０００７】
しかし、この場合、通信方式Ａ、Ｂのそれぞれのベースバンド信号としては、同一周波数帯の信号を用いると、ベースバンド回路において、それぞれのベースバンド信号が互いにノイズとなり、それぞれのベースバンド信号を復調できなくなる。
【０００８】
本発明は、上記点に鑑みて、１つのベースバンド処理部で、複数の通信方式に対応するそれぞれのベースバンド信号を同時に復調処理できるようにした統合通信装置を提供することを目的とする。
【０００９】
【課題を解決するための手段】
上記目的を達成するため、請求項１に記載の発明では、複数の通信方式に対応して無線通信を行うことができる統合通信装置であって、複数の通信方式のＲＦ信号を受信するＲＦ受信部（１１０、１７０、１５０、１５１）と、複数の通信方式の対応して個々に異なる発振周波数で発振して複数の発振信号を出力する発振部（１５５〜１５７、１６２）と、出力された複数の発振信号に基づき、複数の通信方式のＲＦ信号を個々に隣接する周波数帯域のベースバンド信号にダウンコンバートする周波数変換部（１５２、１５４）と、個々のベースバンド信号を同時に復調処理するベースバンド処理部（１３０）と、を有することを特徴とする。
【００１０】
このように、１つのベースバンド処理部により、個々に隣接する周波数帯域のベースバンド信号が、複数の通信方式に対応するそれぞれのベースバンド信号として扱われるため、それぞれのベースバンド信号が互いにノイズになることなく、複数の通信方式に対応するそれぞれのベースバンド信号が同時に復調処理される。さらに、ベースバンド処理部では、個々に隣接する周波数帯域のベースバンド信号が扱われるため、ベースバンド処理部としては、その処理可能な周波数帯域幅が小さなものを用いることができる。
【００１１】
具体的には、請求項２に記載の発明のように、ベースバンド復調部が対応する帯域幅の範囲内で、ベースバンド信号の周波数域が個々に離れているようにしてもよい。
【００１２】
具体的には、請求項３に記載の発明のように、発振部は、複数の通信方式のＲＦ信号の個々に対応して個々に異なる発振周波数で発振して複数の発振信号を出力する第１の発振部（１５５〜１５７）を有し、周波数変換部は、第１の発振部から出力される複数の発振信号に基づき、複数の通信方式のＲＦ信号を個々に隣接する周波数帯域の中間信号にダウンコンバートするＲＦ変換部（１５２）と、個々の周波数帯域の中間信号のうち、所定周波数帯域の周波数成分だけをフィルタ出力として出力するバンドパスフィルタ（１５３）とを有し、また、発振部は、個々に隣接する周波数帯域の中間信号のうち、最も低い周波数帯域の中間信号に対応する発振周波数にて発振する第２の発振部（１６２）を有し、さらに、周波数変換部は、第２の発振部からの発振出力に基づき、バンドパスフィルタからのフィルタ出力を個々に隣接する周波数帯域のベースバンド信号にダウンコンバートする第２の変換部（１５４）を有し、個々に隣接する周波数帯域のベースバンド信号をデジタル信号に変換するデジタル変換手段（１６１ａ、１６１ｃ）を有し、ベースバンド処理部は、変換されたデジタル信号に基づき、複数の通信方式に対応する復調処理を同時行うように構成することが好ましい。
【００１３】
また、請求項１〜３に記載の統合通信装置においては、請求項４に記載の発明のように構成すれば、１つのベースバンド処理部によって、複数の通信方式に対応して同時に無線通信を行うことができる。
【００１４】
具体的には、請求項４に記載の発明のように、複数の通信方式に対応して無線通信を行うことができる統合通信装置であって、複数の通信方式のベースバンド信号を同時に個々に隣接する周波数帯域にて出力するベースバンド処理部と、複数の通信方式の対応して個々に異なる発振周波数で発振して複数の発振信号を出力する送信発振部と、出力された複数の発振信号に基づき、複数の通信方式のベースバンド信号を個々に隣接する周波数帯域のＲＦ信号にアップコンバートする送信周波数変換部と、アップコンバートされた個々のＲＦ信号を同時に送信するための送信ＲＦ送信部と、を有することを特徴とする。
【００１５】
なお、上記各手段の括弧内の符号は、後述する実施形態に記載の具体的手段との対応関係を示すものである。
【００１６】
【発明の実施の形態】
（第１実施形態）
図１に、本発明の統合通信装置が適用された車載ソフトウェア統合通信装置の概略構成を示す。
【００１７】
車載ソフトウェア統合通信装置は、図１に示すように、複数の通信方式に対応するように構成され、アンテナ１１０、ベースバンド処理部１３０、統合無線部１７０、演算処理部１７６、画像表示部１８０、操作部１８２、音声入出力部１８４、車両情報入力部１８６および記憶装置１７８から構成されている。アンテナ１１０は、送信ＲＦ信号を電波を媒体として送信するとともに、受信ＲＦ信号を電波を媒体として受信する。なお、複数の通信方式としては、例えば、Ｗ−ＣＤＭＡ方式、ＰＨＳ方式、ＰＤＣ方式などが適用されている。
【００１８】
統合無線部１７０は、送信部１７０ａ、受信部１７０ｂおよびアンテナ共用器１７０ｃから構成され、送信部１７０ａは、後述するように、ベースバンド処理部１３０から出力される送信ベースバンド信号Ｉｓ、Ｑｓを送信ＲＦ信号に周波数変換、すなわちアップコンバートして、この送信ＲＦ信号をアンテナ共用器１７０ｃを介してアンテナ１１０に出力させる。また、受信部１７０ｂは、後述するように、アンテナ１１０からアンテナ共用器１７０ｃを介して入力される受信ＲＦ信号を受信ベースバンド信号Ｉｄ、Ｑｄに周波数変換、すなわちダウンコンバートしてベースバンド処理部１３０に出力する。なお、送信部１７０ａおよび受信部１７０ｂの詳細な構成については後述する。
【００１９】
ベースバンド処理部１３０は、複数の通信方式、例えば、ＰＨＳ方式、ＰＤＣ方式、Ｗ−ＣＤＭＡ方式に対応するように構成されて、受信部１７０ｂから入力される受信ベースバンド信号Ｉｄ、Ｑｄに対し復調処理を施して復調データ（受話音声信号、画像データ）を生成する。また、ベースバンド処理部１３０は、送信信号に対してデジタル変調（例えばＱＰＳＫ、１６ＱＭなど）等を施して、各通信方式に対応する送信ベースバンド信号Ｉｓ、Ｑｓを生成する。
【００２０】
なお、ベースバンド処理部１３０としては、ソフトウェアによりロジックを書き替え可能なハードロジック回路、例えば、ＦＰＧＡ（Ｆｉｅｌｄ　Ｐｒｏｇｒａｍｍｂｌｅ　Ｇａｔｅ　Ａｒｒａｙ）などを用いてソフトウェア無線部を構成することができる。或いは、ベースバンド処理部１３０としては、ＤＳＰ（デジタルシグナルプロセッサ）などを用いることもできる。
【００２１】
演算処理部１７６（制御部）は、マイクロコンピュータ等を備え、後述するように、複数の通信方式のうち必要な通信方式に対応するようにベースバンド処理部１３０のハードロジックを書き替えるための処理、必要な通信方式に対応して受信部１７０ｂ、送信部１７０ａの各周波数を切り換えるための処理、若しくは、ベースバンド処理部１３０のクロック周波数を切り換えるための処理などを実行する。
【００２２】
画像表示部１８０は、例えば、液晶ディスプレィ等であって、各種の画像を表示するものであり、操作部１８２は、ダウンロード、通話、メールなどの各種の機能が割り付けられた各キーを有する。音声入出力部１８４は、送話音声を受けるマイクと、このマイクの出力をアナログ／デジタル変換して送話信号を出力するアナログ／デジタル変換器と、受話音声信号をデジタル／アナログ変換するデジタル／アナログ変換器と、デジタル／アナログ変換器からの出力に基づき受話音声を出力するスピーカとを備える。
【００２３】
記憶装置１７８は、ＳＲＡＭ、ＤＲＡＭ、フラッシュメモリ等を備え、演算処理部１７６のコンピュータプログラムを記憶するとともに、演算処理部１７６の処理に伴うデータを記憶する。また、記憶装置１７８は、必要な通信方式に対応してベースバンド処理部１３０のロジックを書き替えるためのモジュールデータ、音声データ、通信方式毎の無線エリアマップを含む地図データ、通信方式毎の料金表、走行履歴データ、検査履歴データなどを記憶する。また、車両情報入力部１８６としては、例えば、車両位置情報を検出するためのＧＰＳ受信器などを用いることができる。
【００２４】
次に、統合無線部１７０の送信部１７０ａの構成について図２を用いて説明する。
【００２５】
送信部１７０ａは、図２に示すように、デジタル／アナログ変換器１２９ａ、１２９ｂ、ローパスフィルタ１２８ａ、１２８ｂ、直交変調器１２６、送信ＩＦローカル発振器１２７、送信ＩＦバンドパスフィルタ１２０、送信アップコンバータミキサ１１９、送信ハイブリット１２１、常開型スイッチ１２２ａ〜１２２ｃ、送信ＲＦローカル発振器１２３〜１２５、送信ＲＦバンドパスフィルタ１１６、１１８、可変ゲインアンプ１１７、電力増幅器１１５、方向性結合器１１３、検波器１１４およびアイソレータ１２２を備える。
【００２６】
デジタル／アナログ変換器１２９ａは、ベースバンド処理部１３０からの送信ベースバンド信号Ｉｓをデジタル／アナログ変換してローパスフィルタ１２８ａに出力する。デジタル／アナログ変換器１２９ｂは、ベースバンド処理部１３０からの送信ベースバンド信号Ｑｓをデジタル／アナログ変換してローパスフィルタ１２８ｂに出力する。
【００２７】
直交変調器１２６は、ローパスフィルタ１２８ａ、１２８ｂからのフィルタ出力Ｉｉｎ、Ｑｉｎを送信ＩＦローカル発振器１２７からの発振出力を基づき直交変調する。送信ＩＦローカル発振器１２７は、演算処理部１７６の制御により複数の通信方式に対応して発振周波数を可変可能な発振器に構成されている。
【００２８】
送信アップコンバータミキサ１１９は、送信ハイブリット１２１からの出力に基づき、送信ＩＦバンドパスフィルタ１２０を介して入力される直交変調器１２６の出力をアップコンバートする。この送信ハイブリット１２１は、常開型スイッチ１２２ａ〜１２２ｃを介して選択的に入力される送信ＲＦローカル発振器１２３〜１２５の発振出力を加算して送信アップコンバータミキサ１１９に出力する。
【００２９】
常開型スイッチ１２２ａ〜１２２ｃは、それぞれ、送信ハイブリット１２１に入力される送信ＲＦローカル発振器１２３〜１２５の発振出力を選択するために開閉する。送信ＲＦローカル発振器１２３〜１２５は、通信方式としてのＷ−ＣＤＭＡ方式、ＰＤＣ方式、ＰＨＳ方式に対応して異なる周波数で発振する。
【００３０】
可変ゲインアンプ１１７は、送信ＲＦバンドパスフィルタ１１６を介して入力される送信アップコンバータミキサ１１９の出力を演算処理部１７６から制御される可変利得に基づき電力増幅する。この可変ゲインアンプ１１７の出力信号は、上述した送信ＲＦ信号として、電力増幅器１１５、方向性結合器１１３、検波器１１４およびアイソレータ１２２を通してアンテナ１１０に出力される。また、検波器１１４は、方向性結合器１１３を介して入力される送信ＲＦ信号の電力検出を行う。この検出される電力値（送信電力値）は、演算処理部１７６において、上述した可変ゲインアンプ１１７の可変利得の算出に用いられる。
【００３１】
次に、統合無線部１７０の受信部１７０ｂの構成について図３を用いて説明する。
【００３２】
受信部１７０ｂは、図３に示すように、ローノイズアンプ１５０、受信ＲＦバンドパスフィルタ１５１、受信ダウンコンバートミキサ１５２、受信ＩＦバンドパスフィルタ１５３、直交復調器１５４、ローパスフィルタ１６０ａ、１６０ｂ、アナログ／デジタル変換器１６１ａ、１６１ｃ、受信ＲＦローカル発振器１５５〜１５７、常開型スイッチ１５８ａ〜１５８ｃ、受信ハイブリット１５９および受信ＩＦローカル発振器１６２を備えている。
【００３３】
ローノイズアンプ１５０は、アンテナ１１０からアンテナ共用器１７０ｃを介して入力される受信ＲＦ信号を電力増幅する。また、受信ダウンコンバートミキサ１５２は、受信ＲＦバンドパスフィルタ１５１を介して入力されるローノイズアンプ１５０の出力を受信ハイブリット１５９からの出力に基づき、ダウンコンバートして受信ＩＦ信号を出力する。
【００３４】
受信ハイブリット１５９は、常開型スイッチ１５８ａ〜１５８ｃを介して選択的に入力される受信ＲＦローカル発振器１５５〜１５７からの発振出力をを加算して受信ダウンコンバートミキサ１５２に出力する。受信ＲＦローカル発振器１５５は、Ｗ−ＣＤＭＡ方式に対応する発振周波数：２３００ＭＨｚ〜１９２０ＭＨｚで発振して発振出力ＲＸ１を出力する。
【００３５】
受信ＲＦローカル発振器１５６は、ＰＨＳ方式に対応して発振周波数：１６９５ＭＨｚ〜１７２０ＭＨｚで発振して発振出力ＲＸ２を出力する。また、受信ＲＦローカル発振器１５７は、ＰＤＣ方式に対応して発振周波数ｆ１：５９３ＭＨｚ〜６２８ＭＨｚ、発振周波数ｆ２：５９５ＭＨｚ〜６３０ＭＨｚのいずれか一方で発振してこの一方の発振周波数の発振出力を出力する。常開型スイッチ１５８ａ〜１５８ｃは、それぞれ、受信ハイブリット１５９に入力される受信ＲＦローカル発振器１５５〜１５７の発振出力ＲＸ１〜ＲＸ３を選択するために開閉する。
【００３６】
受信ＩＦバンドパスフィルタ１５３は、受信ダウンコンバートミキサ１５２からの受信ＩＦ信号のうち所定周波数帯の信号成分だけをフィルタ出力として出力する。直交復調器１５４は、後述するように、受信ＩＦバンドパスフィルタ１５３からのフィルタ出力を受信ＩＦローカル発振器１６２からの発振出力に基づいて直交復調して受信ベースバンド信号Ｉ、Ｑを出力する。この直交復調器１５４の詳細構成は後述する。また、受信ＩＦローカル発振器１６２は、演算処理部１７６の制御により発振周波数を可変可能な発振器に構成されている。
【００３７】
アナログ／デジタル変換器１６１ａは、ローパスフィルタ１６０ａを介して入力される直交復調器１５４からの受信ベースバンド信号Ｉをデジタル変換して受信ベースバンド信号Ｉｄを出力する。アナログ／デジタル変換器１６１ｃは、ローパスフィルタ１６０ｂを介して入力される直交復調器１５４からの受信ベースバンド信号Ｑをデジタル変換して受信ベースバンド信号Ｑｄを出力する。ローパスフィルタ１６０ａ、１６０ｂは、それぞれ、演算処理部１７６の制御によりカットオフ周波数を可変可能に構成されている。これらローパスフィルタ１６０ａ、１６０ｂとしては、例えば、スイッチドキャパシタンス方式のフィルタを用いることができる。
【００３８】
次に、直交復調器１５４の詳細構成について図４を用いて説明する。
【００３９】
直交復調器１５４は、図４に示すように、可変ゲインアンプ１５４０、乗算器１５４１、１５４２および位相移行器１５４３から構成されており、可変ゲインアンプ１５４０は、演算処理部１７６により制御される可変利得に基づき、受信ＩＦバンドパスフィルタ１５３からのフィルタ出力を電力増幅する。乗算器１５４１は、可変ゲインアンプ１５４０からの増幅出力と、受信ＩＦローカル発振器１６２の発振出力とを掛け算して受信ベースバンド信号Ｉとしてローパスフィルタ１６０ａに出力する。
【００４０】
乗算器１５４２は、可変ゲインアンプ１５４０からの増幅出力と、位相移行器１５４３を介して入力される受信ＩＦローカル発振器１６２の発振出力とを掛け算して受信ベースバンド信号Ｑとしてローパスフィルタ１６０ｂに出力する。また、位相移行器１５４３は、受信ＩＦローカル発振器１６２の発振出力の位相をπ／２、すなわち９０°シフトする役割を果たす。
【００４１】
次に、本実施形態の作動として、図５に示すように、当該車両が、通信エリアＡから、通信エリアＢ、Ｃ、Ｄ、Ｅ、Ｆを経由して通信エリアＧに到達するまで通信方式を切換つつ画像データを図示しないサーバから通信方式毎の基地局を介してダウンロードする具体例について説明する。なお、図５において、符号１０００は、Ｗ−ＣＤＭＡ方式の通信エリア、符号１００１は、ＰＨＳ方式の通信エリア、符号１００２は、ＰＤＣ方式の通信エリアを示す。
【００４２】
先ず、乗員が操作部１８２に対して画像データをダウンロードするための操作を行う。これに伴い、演算処理部１７６が、図６に示すフローチャートに従って、コンピュータプログラムの実行を開始する。
【００４３】
すなわち、車両がＷ−ＣＤＭＡ方式の通信エリアＡに位置する場合、演算処理部１７６は、車両情報入力部１８６に含まれたＧＰＳ受信器から取得された車両位置情報と、記憶装置１７８に記憶された地図情報とに基づき、画像データを受信するのに、ＰＨＳ、ＰＤＣ方式ではなく、Ｗ−ＣＤＭＡ方式を用いるべきであると判定する。
【００４４】
この場合、ステップＳ１００でＹＥＳと判定するとともに、ステップＳ１２０、Ｓ１４０のそれぞれでＮＯと判定して、後述するように、Ｗ−ＣＤＭＡ方式で画像データをダウンロードするための第１のダウンロード処理を行う（ステップＳ１４１）。
【００４５】
次に、当該車両が、通信エリアＡから通信エリアＢに移動すると、演算処理部１７６は、ＧＰＳ受信器から取得された車両位置情報と、記憶装置１７８に記憶された地図情報とに基づき、画像データを受信するのに、ＰＤＣ方式ではなく、ＰＨＳ、Ｗ−ＣＤＭＡ方式を用いるべきであると判定する。
【００４６】
この場合、ステップＳ１００、Ｓ１２０でＹＥＳと判定するとともに、ステップＳ１４０でＮＯと判定して、後述するように、ＰＨＳ、Ｗ−ＣＤＭＡ方式で画像データをダウンロードするための第２のダウンロード処理を行う（ステップＳ１３４）。
【００４７】
次に、当該車両が、通信エリアＣに到達すると、演算処理部１７６は、ＧＰＳ受信器からの車両位置情報と、記憶装置１７８に記憶された地図情報とに基づいて、画像データを受信するのに、Ｗ−ＣＤＭＡ方式、ＰＤＣ方式ではなく、ＰＨＳを用いるべきであると判定する。
【００４８】
この場合、ステップＳ１００でＮＯと判定するとともに、ステップＳ１５０でＹＥＳと判定するとともに、ステップＳ１７０でＮＯと判定し、後述するように、ＰＨＳ方式で画像データをダウンロードするための第３のダウンロード処理を行う（ステップＳ１７４）。
【００４９】
次に、当該車両が、通信エリアＤに到達すると、演算処理部１７６は、ＧＰＳ受信器からの車両位置情報と、記憶装置１７８に記憶された地図情報とに基づいて、画像データを受信するのに、Ｗ−ＣＤＭＡ方式ではなく、ＰＨＳ方式、ＰＤＣ方式を用いるべきであると判定する。
【００５０】
この場合、ステップＳ１００にてＮＯと判定するとともに、ステップＳ１５０、Ｓ１７０のそれぞれにてＹＥＳと判定して、後述するように、ＰＤＣ方式、ＰＨＳ方式で画像データをダウンロードするための第４のダウンロード処理を行う（ステップＳ１７１）。
【００５１】
次に、当該車両が、通信エリアＥに到達すると、演算処理部１７６は、ＧＰＳ受信器からの車両位置情報と、記憶装置１７８に記憶された地図情報とに基づいて、画像データを受信するのに、Ｗ−ＣＤＭＡ方式、ＰＨＳ方式ではなく、ＰＤＣ方式を用いるべきであると判定する。
【００５２】
この場合、ステップＳ１００にてＮＯと判定するとともに、ステップＳ１５０でＮＯと判定し、ステップＳ１７０でＹＥＳと判定し、後述するように、ＰＤＣ方式で画像データをダウンロードするための第５のダウンロード処理を行う（ステップＳ１６４）。
【００５３】
次に、当該車両が、通信エリアＦに到達すると、演算処理部１７６は、ＧＰＳ受信器からの車両位置情報と、記憶装置１７８に記憶された地図情報とに基づいて、画像データを受信するのに、ＰＨＳ方式ではなく、Ｗ−ＣＤＭＡ方式、ＰＤＣ方式を用いるべきであると判定する。
【００５４】
この場合、ステップＳ１００にてＮＯと判定するとともに、ステップＳ１５０でＹＥＳと判定し、ステップＳ１６０でＹＥＳと判定して、後述するように、Ｗ−ＣＤＭＡ方式、ＰＤＣ方式で画像データをダウンロードするための第６のダウンロード処理を行う（ステップＳ１４２ａ）。
【００５５】
次に、当該車両が、通信エリアＧに到達すると、演算処理部１７６は、ＧＰＳ受信器からの車両位置情報と、記憶装置１７８に記憶された地図情報とに基づいて、画像データを受信するのに、Ｗ−ＣＤＭＡ方式、ＰＨＳ方式、ＰＤＣ方式を用いるべきであると判定する。
【００５６】
この場合、ステップＳ１００、Ｓ１２０、Ｓ１３０のそれぞれでＹＥＳと判定して、後述するように、Ｗ−ＣＤＭＡ方式、ＰＨＳ方式、ＰＤＣ方式で画像データをダウンロードするための第７のダウンロード処理を行う（ステップＳ１３１）。
【００５７】
次に、第１〜７のダウンロード処理の詳細について処理毎に分けて図７〜図１３を参照して説明する。
【００５８】
図７（ａ）〜図１３（ａ）のそれぞれにおいて、縦軸は受信ＩＦ信号の強度、横軸は受信ＩＦ信号の周波数を示す。図７（ｂ）〜図１３（ｂ）のそれぞれにおいて、縦軸はフィルタ出力の強度、横軸はフィルタ出力の周波数を示す。
【００５９】
（第１のダウンロード処理）
この場合、演算処理部１７６は、Ｗ−ＣＤＭＡ方式で画像データをダウンロードするために、受信部１７０ｂのローパスフィルタ１６０ａ、１６０ｂのそれぞれに対しカットオフ周波数として例えば、２．５ＭＨｚを設定する。そして、受信ＩＦローカル発振器１６２に対し発振周波数を１９０ＭＨｚに設定する。さらに、デジタル／アナログ変換器１２９ａ、１２９ｂに対し中速サンプリング周波数Ｆｍでサンプリング動作させるとともに、ベースバンド処理部１３０を中速クロックで中速動作させる。
【００６０】
これに加えて、演算処理部１７６は、受信部１７０ｂの常開型スイッチ１５８ａ〜１５８ｃのうち、Ｗ−ＣＤＭＡ方式に対応する常開型スイッチ１５８ａだけを閉じる。これに伴い、受信ハイブリット１５９は、常開型スイッチ１５８ａを介して入力される受信ＲＦローカル発振器１５５の発振出力ＲＸ１（発振周波数：２３００ＭＨｚ〜２３６０ＭＨｚ）を出力することになる。
【００６１】
さらに、演算処理部１７６は、送信部１７０ａの常開型スイッチ１２２ａ〜１２２ｃのうち、Ｗ−ＣＤＭＡ方式に対応する常開型スイッチ１２２ａだけを閉じる。これに伴い、送信ハイブリット１２１は、常開型スイッチ１２２ａを介して入力される送信ＲＦローカル発振器１２３の発振出力を出力する。さらに、サーバに対してＷ−ＣＤＭＡ方式を用いて画像データを送信させるように要求するため要求信号をベースバンド処理部１３０に出力する。
【００６２】
ここで、ベースバンド処理部１３０は、この要求信号をＷ−ＣＤＭＡ方式に対応するように変調して送信ベース信号Ｉｓ、Ｑｓを出力する。このため、直交変調器１２６は、デジタル／アナログ変換器１２９ａおよびローパスフィルタ１２８ａを通して入力される送信ベース信号Ｉｓと、デジタル／アナログ変換器１２９ｂおよびローパスフィルタ１２８ｂを通して入力される送信ベース信号Ｑｓとを、送信ＩＦローカル発振器１２７からの発振出力を基づき直交変調する。
【００６３】
これに伴い、送信アップコンバータミキサ１１９は、常開型スイッチ１２２ａおよび送信ハイブリット１２１を介して送信ＲＦローカル発振器１２３から入力された発振出力に基づき、送信ＩＦバンドパスフィルタ１２０を介して入力される直交変調器１２６の出力をアップコンバートする。すると、可変ゲインアンプ１１７は、送信ＲＦバンドパスフィルタ１１６を介して入力される送信アップコンバータミキサ１１９の出力を演算処理部１７６から制御される可変利得に基づき電力増幅する。
【００６４】
これに伴い、この可変ゲインアンプ１１７の出力信号は、上述した送信ＲＦ信号として、電力増幅器１１５、方向性結合器１１３、検波器１１４およびアイソレータ１２２、アンテナ共用器１１１を通してアンテナ１１０に出力される。従って、送信ＲＦ信号は、アンテナ１１０から電波を媒体として送信されることになる。このように送信された送信ＲＦ信号がＷ−ＣＤＭＡの基地局で受信されると、この基地局がサーバに対してこの送信ＲＦ信号を中継するため、サーバがこの送信ＲＦ信号に対応する画像データをＷ−ＣＤＭＡの基地局を介して送信することになる。
【００６５】
その後、この基地局から送信された画像データをＷ−ＣＤＭＡ方式の受信ＲＦ信号（ＲＦ周波数：２１１０ＭＨｚ〜２１７０ＭＨｚ）としてアンテナ１１０が受信すると、この受信ＲＦ信号がローノイズアンプ１５０、受信ＲＦバンドパスフィルタ１５１を介して受信ダウンコンバートミキサ１５２に入力される。
【００６６】
すると、受信ダウンコンバートミキサ１５２は、常開型スイッチ１２２ａ、受信ハイブリット１５９を介して入力される受信ＲＦローカル発振器１５５の発振出力ＲＸ１に基づき、受信ＲＦバンドパスフィルタ１５１の出力をダウンコンバートして、図７（ａ）に示すように、中心周波数１９０Ｍｚの受信ＩＦ信号を出力する。
【００６７】
次に、このように出力される受信ＩＦ信号が受信ＩＦバンドパスフィルタ１５３を介して直交復調器１５４に入力される。この場合、演算処理部１７６は、Ｗ−ＣＤＭＡ方式の受信ＩＦ信号を対象として可変ゲインアンプ１５４０の可変利得を制御する。
【００６８】
すなわち、演算処理部１７６は、後述する復調データに基づき可変利得を算出することになる。このため、可変ゲインアンプ１５４０は、このような可変利得に基づき、一定電力で出力させるようにＷ−ＣＤＭＡ方式の受信ＩＦ信号の信号を電力増幅する。これに伴い、乗算器１５４１、１５４２は、位相移行器１５４３とともに、受信ＩＦローカル発振器１６２からの発振出力（１９０ＭＨｚ）に基づき、可変ゲインアンプ１５４０の出力をダウンコンバートして受信ベースバンド信号Ｉ、Ｑを出力する。すなわち、Ｗ−ＣＤＭＡ方式の受信ＩＦ信号が「ｚｅｒｏＩＦ方式」で復調されることになる。
【００６９】
すると、ローパスフィルタ１６０ａ、１６０ｂは、カットオフ周波数２．５ＭＨｚに基づくフィルタ出力をそれぞれ図７（ｂ）に示すように出力する。すると、アナログ／デジタル変換器１６１ａ、１６１ｃは、それぞれ、ローパスフィルタ１６０ａ、１６０ｂからフィルタ出力を、中速サンプリング周波数でサンプリング動作する。
【００７０】
次に、ベースバンド処理部１３０は、アナログ／デジタル変換器１６１ａ、１６１ｃから出力される受信ベースバンド信号Ｉｄ、Ｑｄを復調して画像データとしての復調データを求める。すると、演算処理部１７６は、復調データを記憶装置１７８に記憶させるとともに、この復調データに基づき画像表示部１８０に画像を表示させる。
【００７１】
（第２のダウンロード処理）
この場合、演算処理部１７６は、Ｗ−ＣＤＭＡ方式、ＰＨＳ方式の双方で画像データをダウンロードするために、受信部１７０ｂのローパスフィルタ１６０ａ、１６０ｂのそれぞれに対しカットオフ周波数として例えば、１１ＭＨｚを設定するとともに、受信ＩＦローカル発振器１６２に対し発振周波数を１９０ＭＨｚに設定する。さらに、アナログ／デジタル変換器１６１ａ、１６１ｃに対し高速サンプリング周波数Ｆｈでサンプリング動作させるとともに、ベースバンド処理部１３０を高速クロックで高速動作させる。
【００７２】
これに加えて、演算処理部１７６は、受信部１７０ｂの常開型スイッチ１５８ａ〜１５８ｃのうち、ＰＤＣ方式に対応する常開型スイッチ１５８ｂを開けた状態で、Ｗ−ＣＤＭＡ方式に対応する常開型スイッチ１５８ａを閉じるとともに、ＰＨＳ方式に対応する常開型スイッチ１５８ｂを閉じる。これに伴い、受信ハイブリット１５９は、常開型スイッチ１５８ａを介して入力される受信ＲＦローカル発振器１５５の発振出力ＲＸ１（発振周波数：２３００ＭＨｚ〜２３６０ＭＨｚ）と、常開型スイッチ１５８ｂを介して入力される受信ＲＦローカル発振器１５６の発振出力ＲＸ２（発振周波数：１６９５ＭＨｚ〜１７２０ＭＨｚ）とを加算して出力することになる。
【００７３】
次に、演算処理部１７６は、第１のダウンロード処理の場合と同様、送信部１７０ａの常開型スイッチ１２２ａだけを閉じるとともに、サーバに対してＷ−ＣＤＭＡ方式を用いて画像データを送信させるように要求するため要求信号をベースバンド処理部１３０に出力する。これに伴い、第１のダウンロード処理の場合と同様、ベースバンド処理部１３０は、送信部１７０ａ、アンテナ共用器１７０、アンテナ１１０とともに、Ｗ−ＣＤＭＡ方式の基地局を介してサーバに要求信号を送信する。
【００７４】
これに加えて、演算処理部１７６は、送信部１７０ａの常開型スイッチ１２２ｂだけを閉じるとともに、サーバに対してＰＨＳ方式を用いて画像データを送信させるように要求するため要求信号をベースバンド処理部１３０に出力する。
【００７５】
これに伴い、ベースバンド処理部１３０は、この要求信号をＰＨＳ方式に対応するように変調して送信ベース信号Ｉｓ、Ｑｓを出力する。このため、直交変調器１２６は、デジタル／アナログ変換器１２９ａおよびローパスフィルタ１２８ａを通して入力される送信ベース信号Ｉｓと、デジタル／アナログ変換器１２９ｂおよびローパスフィルタ１２８ｂを通して入力される送信ベース信号Ｑｓとを、送信ＩＦローカル発振器１２７からの発振出力を基づき直交変調する。
【００７６】
これに伴い、送信アップコンバータミキサ１１９は、送信ＩＦバンドパスフィルタ１２０を介して入力される直交変調器１２６の出力を、常開型スイッチ１２２ｂおよび送信ハイブリット１２１を介して送信ＲＦローカル発振器１２４から入力された発振出力に基づき、アップコンバートする。それ以降、Ｗ−ＣＤＭＡ方式の要求信号の送信の場合と実質的同様に、送信アップコンバータミキサ１１９からの出力が、可変ゲインアンプ１１７は、電力増幅器１１５、方向性結合器１１３、検波器１１４およびアイソレータ１２２、アンテナ共用器１１１を通してアンテナ１１０に出力される。
【００７７】
以上により、画像データを要求するための要求信号がＰＨＳ方式の基地局を介してサーバに送信されることになる。従って、このサーバがＰＨＳ方式の基地局を介して要求信号を受けると、画像データをＰＨＳ方式の基地局を介して当該車載ソフトウェア統合通信装置に送信する。これに加えて、サーバがＷ−ＣＤＡＭＡ方式の基地局を介して要求信号を受けると、当該画像データと同一の画像データをＷ−ＣＤＡＭＡ方式の基地局を介して当該車載ソフトウェア統合通信装置に送信する。
【００７８】
その後、当該車載ソフトウェア統合通信装置では、アンテナ１１０が、Ｗ−ＣＤＡＭＡ方式の基地局を介して送信された画像データを、Ｗ−ＣＤＭＡ方式の受信ＲＦ信号として受信する。さらに、アンテナ１１０が、ＰＨＳ方式の基地局を介して送信された画像データを、ＰＨＳ方式の受信ＲＦ信号として受信する。これに伴い、Ｗ−ＣＤＭＡ方式の受信ＲＦ信号とＰＨＳ方式の受信ＲＦ信号とがローノイズアンプ１５０、受信ＲＦバンドパスフィルタ１５１を介して受信ダウンコンバートミキサ１５２に入力される。
【００７９】
すると、受信ダウンコンバートミキサ１５２は、受信ハイブリット１５９からの出力（すなわち、受信ＲＦローカル発振器１５５、１５６の発振出力ＲＸ１、ＲＸ２の加算信号）に基づき、受信ＲＦバンドパスフィルタ１５１の出力をダウンコンバートして、Ｗ−ＣＤＭＡ方式の受信ＩＦ信号と、ＰＨＳ方式の受信ＩＦ信号を同時に出力する。この場合、図８（ａ）のように、Ｗ−ＣＤＭＡ方式の受信ＩＦ信号の中心周波数が１９０Ｍｚで、ＰＨＳ方式の受信ＩＦ信号の中心周波数が２００Ｍｚで、Ｗ−ＣＤＭＡ方式の受信ＩＦ信号の周波数帯域が、ＰＨＳ方式の受信ＩＦ信号の周波数帯域と、互いに、隣接している。
【００８０】
次に、このように出力されるＷ−ＣＤＭＡ方式の受信ＩＦ信号、ＰＨＳ方式の受信ＩＦ信号が同時に受信ＩＦバンドパスフィルタ１５３を介して直交復調器１５４に入力される。この場合、演算処理部１７６は、Ｗ−ＣＤＭＡ方式の受信ＩＦ信号を対象として可変ゲインアンプ１５４０の可変利得を制御する。すなわち、演算処理部１７６は、Ｗ−ＣＤＭＡ方式の復調データに基づき可変利得を求めることになる。このため、可変ゲインアンプ１５４０は、このような可変利得に基づき、受信ＩＦバンドパスフィルタ１５３の出力を電力増幅する。
【００８１】
これに伴い、乗算器１５４１、１５４２は、位相移行器１５４３とともに、受信ＩＦローカル発振器１６２からの発振出力（１９０ＭＨｚ）に基づき、可変ゲインアンプ１５４０の出力をダウンコンバートして受信ベースバンド信号Ｉ、Ｑを出力する。
【００８２】
すなわち、Ｗ−ＣＤＭＡ方式の受信ＩＦ信号が、発振出力（１９０ＭＨｚ）に基づきダウンコンバートされる。すなわち、Ｗ−ＣＤＭＡ方式の受信ＩＦ信号が「ｚｅｒｏＩＦ方式」で復調されることになる。また、ＰＨＳ方式の受信ＩＦ信号が発振出力（１９０ＭＨｚ）に基づきダウンコンバートされる。すなわち、ＰＨＳ方式の受信ＩＦ信号が「ｎｅａｒ　ｚｅｒｏＩＦ方式」で復調されることになる。
【００８３】
なお、Ｗ−ＣＤＭＡ方式の受信ＩＦ信号およびＰＨＳ方式の受信ＩＦ信号のうち、低い周波数の方であるＷ−ＣＤＭＡ方式の受信ＩＦ信号に対して、受信ＩＦローカル発振器１６２の周波数が対応している。
【００８４】
ここで、受信ベースバンド信号Ｉには、Ｗ−ＣＤＭＡ方式に対応するベースバンド信号の実部とＰＨＳ方式に対応するベースバンド信号の実部とが含まれ、それぞれのベースバンド信号の実部の周波数帯域が隙間を開けて隣接している。また、ベースバンド信号Ｑｄには、Ｗ−ＣＤＭＡ方式に対応するベースバンド信号の虚部とＰＨＳ方式に対応するベースバンド信号の虚部とが含まれ、それぞれのベースバンド信号の虚部の周波数帯域が隙間を開けて隣接している。
【００８５】
次に、ローパスフィルタ１６０ａ、１６０ｂは、受信ベースバンド信号Ｉ、Ｑのうち、カットオフ周波数１１ＭＨｚ未満の周波数成分をフィルタ出力として図８（ｂ）に示すように出力する。図８（ｂ）では、フィルタ出力のうちＷ−ＣＤＭＡ方式に対する周波数成分と、ＰＨＳ方式に対する周波数成分とが、隙間を開けて隣接している例を示す。
【００８６】
次に、アナログ／デジタル変換器１６１ａ、１６１ｃは、それぞれ、ローパスフィルタ１６０ａ、１６０ｂからフィルタ出力を、高速サンプリング周波数でサンプリング動作してベースバンド信号Ｉｄ、Ｑｄを出力する。
【００８７】
次に、ベースバンド処理部１３０は、アナログ／デジタル変換器１６１ａ、１６１ｃから出力される受信ベースバンド信号Ｉｄ、Ｑｄに基づき、ＰＨＳ方式で復調処理すると同時に、Ｗ−ＣＤＭＡ方式で復調処理する。これにより、ＰＨＳ方式で受信された画像データとしての復調データと、Ｗ−ＣＤＭＡ方式で受信された画像データとしての復調データとを同時に取得することができる。すると、演算処理部１７６は、双方の復調データのうちいずれか一方を記憶装置１７８に記憶させるとともに、この一方の復調データに基づき画像を表示部１８０に画像を表示させる。
【００８８】
（第３のダウンロード処理）
この場合、演算処理部１７６は、ＰＨＳ方式で画像データをダウンロードするために、受信部１７０ｂのローパスフィルタ１６０ａ、１６０ｂのそれぞれに対しカットオフ周波数として例えば、２ＭＨｚを設定するとともに、受信ＩＦローカル発振器１６２に対し発振周波数を２００ＭＨｚに設定する。さらに、アナログ／デジタル変換器１６１ａ、１６１ｃに対し中速サンプリング周波数Ｆｍでサンプリング動作させるとともに、ベースバンド処理部１３０を中速クロックで中速動作させる。
【００８９】
これに加えて、演算処理部１７６は、受信部１７０ｂの常開型スイッチ１５８ａ〜１５８ｃのうち、ＰＨＳ方式に対応する常開型スイッチ１５８ｂだけを閉じる。これに伴い、受信ハイブリット１５９は、常開型スイッチ１５８ｂを介して入力される受信ＲＦローカル発振器１５５の発振出力ＲＸ２を出力することになる。
【００９０】
さらに、演算処理部１７６は、第２のダウンロード処理の場合と同様に、サーバに対してＰＨＳを用いて画像データを送信させるように要求するための処理を行う。これに伴い、アンテナ共用器１７０、アンテナ１１０とともに、ＰＨＳ方式の基地局を介してサーバに要求信号を送信する。このサーバがＰＨＳ方式の基地局を介して要求信号を受けると、画像データをＰＨＳ方式の基地局を介して当該車載ソフトウェア統合通信装置に送信する。
【００９１】
その後、当該車載ソフトウェア統合通信装置では、アンテナ１１０が、ＰＨＳ方式の基地局を介して送信された画像データを、ＰＨＳ方式の受信ＲＦ信号として受信すると、このＰＨＳ方式の受信ＲＦ信号がローノイズアンプ１５０、受信ＲＦバンドパスフィルタ１５１を介して受信ダウンコンバートミキサ１５２に入力される。
【００９２】
すると、受信ダウンコンバートミキサ１５２は、受信ハイブリット１５９からの出力（すなわち、受信ＲＦローカル発振器１５６の発振出力ＲＸ２）に基づき、受信ＲＦバンドパスフィルタ１５１の出力をダウンコンバートして、図９（ａ）のように、中心周波数が２００ＭｚであるＰＨＳ方式の受信ＩＦ信号を出力する。
【００９３】
次に、このように出力されるＰＨＳ方式の受信ＩＦ信号が受信ＩＦバンドパスフィルタ１５３を介して直交復調器１５４に入力される。この場合、演算処理部１７６は、ＰＨＳの受信ＩＦ信号を対象として可変ゲインアンプ１５４０の可変利得を制御する。すなわち、演算処理部１７６は、後述するＰＨＳ方式での復調データに基づき算出することになる。このため、可変ゲインアンプ１５４０は、このような可変利得に基づいて受信ＩＦバンドパスフィルタ１５３の出力を電力増幅することになる。
【００９４】
これに伴い、乗算器１５４１、１５４２は、位相移行器１５４３とともに、受信ＩＦローカル発振器１６２からの発振出力（２００ＭＨｚ）に基づき、可変ゲインアンプ１５４０の出力をダウンコンバートして受信ベースバンド信号Ｉ、Ｑを出力する。すなわち、ＰＨＳ方式の受信ＩＦ信号が「ｚｅｒｏＩＦ方式」で復調されることになる。
【００９５】
すると、ローパスフィルタ１６０ａ、１６０ｂは、カットオフ周波数２ＭＨｚにてフィルタ出力を、図９（ｂ）に示すように出力する。すると、アナログ／デジタル変換器１６１ａ、１６１ｃは、それぞれ、ローパスフィルタ１６０ａ、１６０ｂからフィルタ出力を、中速サンプリング周波数にてサンプリング動作する。
【００９６】
次に、ベースバンド処理部１３０は、アナログ／デジタル変換器１６１ａ、１６１ｃから出力される受信ベースバンド信号Ｉｄ、Ｑｄを復調することにより、ＰＨＳ方式で受信された画像データとして復調データを取得する。すると、演算処理部１７６は、この復調データを記憶装置１７８に記憶させるとともに、この復調データに基づき画像を表示部１８０に画像を表示させる。
【００９７】
（第４ダウンロード処理）
この場合、演算処理部１７６は、ＰＤＣ方式、ＰＨＳ方式の双方で画像データをダウンロードするために、受信部１７０ｂの受信ＲＦローカル発振器１５７に対して、発振周波数ｆ１：５９３ＭＨｚ〜６２８ＭＨｚで発振させて発振周波数ｆ１の発振出力ＲＸ２を出力させる。さらに、受信部１７０ｂのローパスフィルタ１６０ａ、１６０ｂのそれぞれに対しカットオフ周波数として例えば、２．５ＭＨｚを設定するとともに、受信ＩＦローカル発振器１６２に対し発振周波数を２００ＭＨｚに設定する。さらに、アナログ／デジタル変換器１６１ａ、１６１ｃに対し中速サンプリング周波数Ｆｈでサンプリング動作させるとともに、ベースバンド処理部１３０を中速クロックで高速動作させる。
【００９８】
これに加えて、演算処理部１７６は、受信部１７０ｂの常開型スイッチ１５８ａ〜１５８ｃのうち、Ｗ−ＣＤＭＡ方式に対応する常開型スイッチ１５８ａを開けた状態で、ＰＤＣ方式に対応する常開型スイッチ１５８ｃを閉じるとともに、ＰＨＳ方式に対応する常開型スイッチ１５８ｂを閉じる。これに伴い、受信ハイブリット１５９は、常開型スイッチ１５８ｂを介して入力される受信ＲＦローカル発振器１５６の発振出力ＲＸ２と、常開型スイッチ１５８ｃを介して入力される受信ＲＦローカル発振器１５７の発振出力ＲＸ３とを加算して出力することになる。
【００９９】
次に、演算処理部１７６は、第２のダウンロード処理の場合と同様、サーバに対してＰＨＳ方式を用いて画像データを送信させるように要求するため要求信号をベースバンド処理部１３０に出力する。これに伴い、第２のダウンロード処理の場合と同様、ベースバンド処理部１３０は、送信部１７０ａ、アンテナ共用器１７０、アンテナ１１０とともに、ＰＨＳ方式の基地局を介してサーバに要求信号を送信する。
【０１００】
これに加えて、演算処理部１７６は、送信部１７０ａの常開型スイッチ１２２ｃだけを閉じるとともに、サーバに対してＰＤＣ方式を用いて画像データを送信させるように要求するため要求信号をベースバンド処理部１３０に出力する。これに伴い、ベースバンド処理部１３０は、この要求信号をＰＤＣ方式に対応するように変調して送信ベースバンド信号Ｉｓ、Ｑｓを出力する。このため、直交変調器１２６は、デジタル／アナログ変換器１２９ａおよびローパスフィルタ１２８ａを通して入力される送信ベース信号Ｉｓと、デジタル／アナログ変換器１２９ｂおよびローパスフィルタ１２８ｂを通して入力される送信ベース信号Ｑｓとを、送信ＩＦローカル発振器１２７からの発振出力を基づき直交変調する。
【０１０１】
これに伴い、送信アップコンバータミキサ１１９は、送信ＩＦバンドパスフィルタ１２０を介して入力される直交変調器１２６の出力を、常開型スイッチ１２２ｂおよび送信ハイブリット１２１を介して送信ＲＦローカル発振器１２５から入力された発振出力に基づき、アップコンバートする。その後、Ｗ−ＣＤＭＡ方式、ＰＨＳ方式の要求信号の場合と実質的同様に、送信アップコンバータミキサ１１９からの出力が、可変ゲインアンプ１１７は、電力増幅器１１５、方向性結合器１１３、検波器１１４およびアイソレータ１２２、アンテナ共用器１１１を通してアンテナ１１０に出力される。
【０１０２】
以上により、画像データを要求するための要求信号がＰＤＣ方式の基地局を介してサーバに送信されることになる。従って、このサーバがＰＤＣ方式の基地局を介して要求信号を受けると、画像データをＰＤＣ方式の基地局を介して当該車載ソフトウェア統合通信装置に送信する。これに加えて、サーバがＰＨＳ方式の基地局を介して要求信号を受けると、当該画像データと同一の画像データをＰＨＳ方式の基地局を介して当該車載ソフトウェア統合通信装置に送信する。
【０１０３】
その後、当該車載ソフトウェア統合通信装置では、アンテナ１１０が、ＰＨＳ方式の基地局からの画像データをＰＨＳ方式の受信ＲＦ信号として受信するととともに、ＰＤＣ方式の基地局からの画像データをＰＤＣ方式の受信ＲＦ信号として受信する。これに伴い、ＰＤＣ方式の受信ＲＦ信号とＰＨＳ方式の受信ＲＦ信号とがローノイズアンプ１５０、受信ＲＦバンドパスフィルタ１５１を介して受信ダウンコンバートミキサ１５２に入力される。
【０１０４】
すると、受信ダウンコンバートミキサ１５２は、受信ハイブリット１５９からの出力（すなわち、受信ＲＦローカル発振器１５６、１５７の発振出力ＲＸ２、ＲＸ３の加算信号）に基づき、受信ＲＦバンドパスフィルタ１５１の出力をダウンコンバートして、ＰＤＣ方式の受信ＩＦ信号と、ＰＨＳ方式の受信ＩＦ信号を同時に出力する。この場合、図１０（ａ）のように、ＰＨＳ方式の受信ＩＦ信号の中心周波数が２００Ｍｚで、ＰＤＣ方式の受信ＩＦ信号の中心周波数が２０２Ｍｚで、ＰＤＣ方式の受信ＩＦ信号の周波数帯域が、ＰＨＳ方式の受信ＩＦ信号の周波数帯域と、互いに、隣接している。
【０１０５】
次に、このように出力されるＰＤＣ方式の受信ＩＦ信号、ＰＨＳ方式の受信ＩＦ信号が同時に受信ＩＦバンドパスフィルタ１５３を介して直交復調器１５４に入力される。この場合、演算処理部１７６は、ＰＨＳ方式の受信ＩＦ信号を対象として可変ゲインアンプ１５４０の可変利得を制御する。すなわち、演算処理部１７６は、後述するＰＨＳ方式の復調データに基づき算出する。このため、可変ゲインアンプ１５４０は、可変利得に基づき、受信ＩＦバンドパスフィルタ１５３の出力を電力増幅する。
【０１０６】
これに伴い、乗算器１５４１、１５４２は、位相移行器１５４３とともに、受信ＩＦローカル発振器１６２からの発振出力（２００ＭＨｚ）に基づき、可変ゲインアンプ１５４０の出力をダウンコンバートして受信ベースバンド信号Ｉ、Ｑを出力する。これにより、ＰＨＳ方式の受信ＩＦ信号が、発振出力（２００ＭＨｚ）に基づき、ダウンコンバートされ、ＰＤＣ方式の受信ＩＦ信号が発振出力（２００ＭＨｚ）に基づき、ダウンコンバートされる。
【０１０７】
すなわち、ＰＨＳ方式の受信ＩＦ信号が「ｚｅｒｏＩＦ方式」で復調され、ＰＤＣ方式の受信ＩＦ信号が「ｎｅａｒ　ｚｅｒｏＩＦ方式」で復調されることになる。
【０１０８】
なお、ＰＤＣ方式の受信ＩＦ信号よりも周波数の低いＰＨＳ方式の受信ＩＦ信号に対して、、受信ＩＦローカル発振器１６２からの発振出力（２００ＭＨｚ）が対応している。
【０１０９】
ここで、受信ベースバンド信号Ｉには、ＰＤＣ方式に対応するベースバンド信号の実部とＰＨＳ方式に対応するベースバンド信号の実部とが含まれ、それぞれのベースバンド信号の実部の周波数帯域が隙間を開けて隣接している。また、ベースバンド信号Ｑｄには、ＰＤＣ方式に対応するベースバンド信号の虚部とＰＨＳ方式に対応するベースバンド信号の虚部とが含まれる。
【０１１０】
次に、ローパスフィルタ１６０ａ、１６０ｂは、受信ベースバンド信号Ｉ、Ｑのうち、カットオフ周波数２．５ＭＨｚ未満の周波数成分をフィルタ出力として図１０（ｂ）に示すように出力する。図１０（ｂ）では、フィルタ出力のうちＰＤＣ方式に対する周波数成分と、ＰＨＳ方式に対する周波数成分とが、隙間を開けて隣接している例を示す。
【０１１１】
次に、アナログ／デジタル変換器１６１ａ、１６１ｃは、それぞれ、ローパスフィルタ１６０ａ、１６０ｂからフィルタ出力を、高速サンプリング周波数でサンプリング動作して受信ベースバンド信号Ｉｄ、Ｑｄを出力する。
【０１１２】
次に、ベースバンド処理部１３０は、アナログ／デジタル変換器１６１ａ、１６１ｃから出力される受信ベースバンド信号Ｉｄ、Ｑｄに基づき、ＰＨＳ方式に対応して復調すると同時に、受信ベースバンド信号Ｉｄ、Ｑｄに基づき、ＰＤＣ方式に対応して復調する。これにより、ＰＨＳ方式で受信された画像データとしての復調データと、ＰＤＣ方式で受信された画像データとしての復調データとを同時に取得することができる。すると、演算処理部１７６は、双方の復調データのうちいずれか一方を記憶装置１７８に記憶させるとともに、この一方の復調データに基づき画像を表示部１８０に画像を表示させる。
【０１１３】
（第５のダウンロード処理）
この場合、演算処理部１７６は、ＰＤＣ方式で画像データをダウンロードするために、受信部１７０ｂの受信ＲＦローカル発振器１５７に対して、発振周波数ｆ１：５９３ＭＨｚ〜６２８ＭＨｚで発振させて発振周波数ｆ１の発振出力ＲＸ２を出力させる。さらに、受信部１７０ｂのローパスフィルタ１６０ａ、１６０ｂのそれぞれに対しカットオフ周波数として例えば、１ＭＨｚを設定するとともに、受信ＩＦローカル発振器１６２に対し発振周波数を２００ＭＨｚに設定する。さらに、アナログ／デジタル変換器１６１ａ、１６１ｃに対し低速サンプリング周波数ＦＬでサンプリング動作させるとともに、ベースバンド処理部１３０を低速クロックで高速動作させる。
【０１１４】
これに加えて、演算処理部１７６は、受信部１７０ｂの常開型スイッチ１５８ａ〜１５８ｃのうち、ＰＤＣ方式に対応する常開型スイッチ１５８ｃを閉じるとともに、Ｗ−ＣＤＭＡ方式、ＰＨＳ方式に対応する常開型スイッチ１５８ｂ、１５８ａを開ける。これに伴い、受信ハイブリット１５９は、常開型スイッチ１５８ｃを介して入力される受信ＲＦローカル発振器１５７の発振出力ＲＸ３（発振周波数：７９５ＭＨｚ〜６２８ＭＨｚ）を出力することになる。
【０１１５】
次に、演算処理部１７６は、第４動作設定処理の場合と同様、サーバに対してＰＤＣ方式を用いて画像データを送信させるように要求するため要求信号をベースバンド処理部１３０に出力する。これに伴って、第４動作設定処理の場合と同様、ベースバンド処理部１３０は、送信部１７０ａ、アンテナ共用器１７０、アンテナ１１０とともに、ＰＤＣ方式の基地局を介してサーバに要求信号を送信する。
【０１１６】
以上により、画像データを要求するための要求信号がＰＤＣ方式の基地局を介してサーバに送信されることになる。従って、このサーバがＰＤＣ方式の基地局を介して要求信号を受けると、画像データをＰＤＣ方式の基地局を介して当該車載ソフトウェア統合通信装置に送信する。
【０１１７】
その後、当該車載ソフトウェア統合通信装置では、アンテナ１１０が、ＰＤＣ方式の基地局を介して送信された画像データを、ＰＤＣ方式の受信ＲＦ信号として受信する。これに伴い、ＰＤＣ方式の受信ＲＦ信号がローノイズアンプ１５０、受信ＲＦバンドパスフィルタ１５１を介して受信ダウンコンバートミキサ１５２に入力される。
【０１１８】
すると、受信ダウンコンバートミキサ１５２は、受信ハイブリット１５９からの出力（すなわち、受信ＲＦローカル発振器１５７の発振出力ＲＸ３）に基づき、受信ＲＦバンドパスフィルタ１５１の出力をダウンコンバートして、図１１（ａ）のように、中心周波数が２００ＭｚであるＰＤＣ方式の受信ＩＦ信号を出力する。
【０１１９】
次に、このように出力されるＰＤＣ方式の受信ＩＦ信号が受信ＩＦバンドパスフィルタ１５３を介して直交復調器１５４に入力される。この場合、演算処理部１７６は、ＰＤＣ方式の受信ＩＦ信号を対象として可変ゲインアンプ１５４０の可変利得を制御する。すなわち、可変ゲインアンプ１５４０は、後述するＰＤＣ方式の復調データに基づき可変利得を算出する。このため、可変ゲインアンプ１５４０は、このような可変利得に基づき、受信ＩＦバンドパスフィルタ１５３の出力を電力増幅する。
【０１２０】
これに伴い、乗算器１５４１、１５４２は、位相移行器１５４３とともに、受信ＩＦローカル発振器１６２からの発振出力（２０２ＭＨｚ）に基づき、可変ゲインアンプ１５４０の出力をダウンコンバートして受信ベースバンド信号Ｉ、Ｑを出力する。すなわち、ＰＤＣ方式の受信ＩＦ信号が「ｚｅｒｏＩＦ方式」で復調されることになる。
【０１２１】
すると、ローパスフィルタ１６０ａ、１６０ｂは、カットオフ周波数１ＭＨｚにてフィルタ出力を、図１１（ｂ）に示すように出力する。すると、アナログ／デジタル変換器１６１ａ、１６１ｃは、それぞれ、ローパスフィルタ１６０ａ、１６０ｂからフィルタ出力を、低速サンプリング周波数にてサンプリング動作する。
【０１２２】
次に、ベースバンド処理部１３０は、アナログ／デジタル変換器１６１ａ、１６１ｃから出力される受信ベースバンド信号Ｉｄ、Ｑｄに基づき、ＰＤＣ方式で受信された画像データを復調する。これにより、ＰＤＣ方式で受信された画像データとしての復調データを取得することができる。すると、演算処理部１７６はこの復調データを記憶装置１７８に記憶させるとともに、この復調データに基づき画像を表示部１８０に表示させる。
【０１２３】
（第６動作設定処理）
この場合、演算処理部１７６は、ＰＤＣ方式、Ｗ−ＣＤＭＡ方式の双方で画像データをダウンロードするために、受信部１７０ｂの受信ＲＦローカル発振器１５７に対して、発振周波数ｆ２：５９５ＭＨｚ〜６３０ＭＨｚで発振させて発振周波数ｆ２の発振出力ＲＸ２を出力させる。
【０１２４】
さらに、受信部１７０ｂのローパスフィルタ１６０ａ、１６０ｂのそれぞれに対しカットオフ周波数として例えば、１１ＭＨｚを設定するとともに、受信ＩＦローカル発振器１６２に対し発振周波数を１９０ＭＨｚに設定する。さらに、アナログ／デジタル変換器１６１ａ、１６１ｃに対し高速サンプリング周波数Ｆｈでサンプリング動作させるとともに、ベースバンド処理部１３０を高速クロックで高速動作させる。
【０１２５】
これに加えて、演算処理部１７６は、受信部１７０ｂの常開型スイッチ１５８ａ〜１５８ｃのうち、ＰＤＣ方式に対応する常開型スイッチ１５８ｃを閉じるとともに、Ｗ−ＣＤＭＡに対応する常開型スイッチ１５８ａを閉じ、ＰＨＳ方式に対応する常開型スイッチ１５８ｂを開ける。これに伴い、受信ハイブリット１５９は、常開型スイッチ１５８ｂを介して入力される受信ＲＦローカル発振器１５６の発振出力ＲＸ２と、常開型スイッチ１５８ａを介して入力される受信ＲＦローカル発振器１５５の発振出力ＲＸ１とを加算して出力することになる。
【０１２６】
次に、演算処理部１７６は、第５動作設定処理の場合と同様、サーバに対してＰＤＣ方式を用いて画像データを送信させるように要求するため要求信号をベースバンド処理部１３０に出力する。これに伴い、第５動作設定処理の場合と同様に、ベースバンド処理部１３０は、送信部１７０ａ、アンテナ共用器１７０、アンテナ１１０とともに、ＰＤＣ方式の基地局を介してサーバに要求信号を送信する。
【０１２７】
さらに、演算処理部１７６は、第１動作設定処理の場合と同様、サーバに対してＷ−ＣＤＭＡ方式を用いて画像データを送信させるように要求するため要求信号をベースバンド処理部１３０に出力する。これに伴い、第１動作設定処理の場合と同様に、ベースバンド処理部１３０は、送信部１７０ａ、アンテナ共用器１７０、アンテナ１１０とともに、Ｗ−ＣＤＭＡ方式の基地局を介してサーバに要求信号を送信する。
【０１２８】
以上により、画像データを要求するための要求信号がＷ−ＣＤＭＡ方式の基地局を介してサーバに送信されるとともに、この要求信号と同一の要求信号ＰＤＣ方式の基地局を介してサーバに送信される。従って、このサーバがＰＤＣ方式の基地局を介して要求信号を受けると、画像データをＰＤＣ方式の基地局を介して当該車載ソフトウェア統合通信装置に送信する。これに加えて、サーバがＷ−ＣＤＭＡ方式の基地局を介して要求信号を受けると、当該画像データと同一の画像データをＷ−ＣＤＭＡ方式の基地局を介して当該車載ソフトウェア統合通信装置に送信する。
【０１２９】
その後、当該車載ソフトウェア統合通信装置では、アンテナ１１０が、ＰＤＣ方式の基地局からの画像データを、ＰＤＣ方式の受信ＲＦ信号として受信すると、Ｗ−ＣＤＭＡ方式の基地局からの画像データを、Ｗ−ＣＤＭＡ方式の受信ＲＦ信号として受信する。これに伴い、Ｗ−ＣＤＭＡ方式の受信ＲＦ信号とＰＨＳ方式の受信ＲＦ信号とがローノイズアンプ１５０、受信ＲＦバンドパスフィルタ１５１を介して受信ダウンコンバートミキサ１５２に入力される。
【０１３０】
すると、受信ダウンコンバートミキサ１５２は、受信ハイブリット１５９からの出力（すなわち、受信ＲＦローカル発振器１５５、１５７の発振出力ＲＸ１、ＲＸ３の加算信号）に基づき、受信ＲＦバンドパスフィルタ１５１の出力をダウンコンバートして、ＰＤＣ方式の受信ＩＦ信号と、Ｗ−ＣＤＭＡ方式の受信ＩＦ信号を同時に出力する。この場合、図１２（ａ）のように、Ｗ−ＣＤＭＡ方式の受信ＩＦ信号の中心周波数が１９０Ｍｚで、ＰＤＣ方式の受信ＩＦ信号のの中心周波数が２００Ｍｚで、ＰＤＣ方式の受信ＩＦ信号の周波数帯域が、Ｗ−ＣＤＭＡ方式の受信ＩＦ信号の周波数帯域と、互いに、隣接している。
【０１３１】
次に、このように出力されるＰＤＣ方式の受信ＩＦ信号、Ｗ−ＣＤＭＡ方式の受信ＩＦ信号が同時に受信ＩＦバンドパスフィルタ１５３を介して直交復調器１５４に入力される。この場合、演算処理部１７６は、Ｗ−ＣＤＭＡ方式の受信ＩＦ信号を対象として可変ゲインアンプ１５４０の可変利得を制御する。すなわち、演算処理部１７６は、後述するＷ−ＣＤＭＡ方式での復調データに基づき算出する。このため、可変ゲインアンプ１５４０は、可変利得に基づき、受信ＩＦバンドパスフィルタ１５３の出力を電力増幅する。
【０１３２】
これに伴い、乗算器１５４１、１５４２は、位相移行器１５４３とともに、受信ＩＦローカル発振器１６２からの発振出力（１９０ＭＨｚ）に基づき、可変ゲインアンプ１５４０の出力をダウンコンバートして受信ベースバンド信号Ｉ、Ｑを出力する。
【０１３３】
これにより、Ｗ−ＣＤＭＡの受信ＩＦ信号（中心周波数：１９０Ｍｚ）が発振出力（１９０ＭＨｚ）に基づきダウンコンバートされ、ＰＤＣ方式の受信ＩＦ信号（中心周波数：２００Ｍｚ）が発振出力（１９０ＭＨｚ）に基づきダウンコンバートされる。すなわち、Ｗ−ＣＤＭＡの受信ＩＦ信号が、「ｚｅｒｏＩＦ方式」で復調され、ＰＤＣ方式の受信ＩＦ信号が、「ｎｅａｒ　ｚｅｒｏＩＦ方式」で復調されることになる。
【０１３４】
なお、ＰＤＣ方式の受信ＩＦ信号よりも周波数の低いＷ−ＣＤＭＡ方式の受信ＩＦ信号に対して、、受信ＩＦローカル発振器１６２からの発振出力（１９０ＭＨｚ）が対応している。
【０１３５】
ここで、Ｗ−ＣＤＭＡ方式に対応するベースバンド信号の実部とＰＤＣ方式に対応するベースバンド信号の実部とが含まれ、それぞれのベースバンド信号の実部の周波数帯域が隙間を開けて隣接している。また、ベースバンド信号Ｑｄには、Ｗ−ＣＤＭＡ方式に対応するベースバンド信号の虚部とＰＤＣ方式に対応するベースバンド信号の虚部とが含まれる。
【０１３６】
次に、ローパスフィルタ１６０ａ、１６０ｂは、受信ベースバンド信号Ｉ、Ｑのうち、カットオフ周波数１１ＭＨｚ未満の周波数成分をフィルタ出力として図８（ｂ）に示すように出力する。図１２（ｂ）では、フィルタ出力のうちＷ−ＣＤＭＡ方式に対する周波数成分と、ＰＨＳ方式に対する周波数成分とが、隙間を開けて隣接している例を示す。
【０１３７】
すると、アナログ／デジタル変換器１６１ａ、１６１ｃは、それぞれ、ローパスフィルタ１６０ａ、１６０ｂからフィルタ出力を、高速サンプリング周波数にてサンプリング動作して、受信ベースバンド信号Ｉｄ、Ｑｄを出力する。
【０１３８】
次に、ベースバンド処理部１３０は、アナログ／デジタル変換器１６１ａ、１６１ｃから出力される受信ベースバンド信号Ｉｄ、Ｑｄに基づき、ＰＤＣ方式に対応して復調処理すると同時に、Ｗ−ＣＤＭＡ方式に対応して復調処理する。これにより、ＰＤＣ方式で受信された画像データとしての復調データと、Ｗ−ＣＤＭＡ方式で受信された画像データとしての復調データとを同時に取得することができる。すると、演算処理部１７６は、双方の復調データのうちいずれか一方を記憶装置１７８に記憶させるとともに、この一方の復調データに基づき画像を表示部１８０に画像を表示させる。
【０１３９】
（第７動作設定処理）
この場合、演算処理部１７６は、ＰＤＣ方式、ＰＨＳ方式、Ｗ−ＣＤＭＡ方式で画像データをダウンロードするために、受信部１７０ｂの受信ＲＦローカル発振器１５７に対して、発振周波数ｆ１で発振させて発振周波数ｆ１の発振出力ＲＸ２を出力させる。
【０１４０】
さらに、受信部１７０ｂのローパスフィルタ１６０ａ、１６０ｂのそれぞれに対しカットオフ周波数として例えば、１２ＭＨｚを設定するとともに、受信ＩＦローカル発振器１６２に対し発振周波数を１９０ＭＨｚに設定する。さらに、アナログ／デジタル変換器１６１ａ、１６１ｃに対し高速サンプリング周波数Ｆｈでサンプリング動作させるとともに、ベースバンド処理部１３０を高速クロックで高速動作させる。
【０１４１】
これに加えて、演算処理部１７６は、受信部１７０ｂの常開型スイッチ１５８ａ〜１５８ｃの全てを閉じる。これに伴い、受信ハイブリット１５９は、常開型スイッチ１５８ａを介して入力される受信ＲＦローカル発振器１５５の発振出力ＲＸ１と、常開型スイッチ１５８ｂを介して入力される受信ＲＦローカル発振器１５６の発振出力ＲＸ２と、常開型スイッチ１５８ｃを介して入力される受信ＲＦローカル発振器１５７の発振出力ＲＸ３とを加算することになる。
【０１４２】
次に、演算処理部１７６は、第１動作設定処理の場合と同様、サーバに対してＷ−ＣＤＭＡ方式を用いて画像データを送信させるように要求するため要求信号をベースバンド処理部１３０に出力する。これに伴い、第１動作設定処理の場合と同様に、ベースバンド処理部１３０は、送信部１７０ａ、アンテナ共用器１７０、アンテナ１１０とともに、ＰＤＣ方式の基地局を介してサーバに要求信号を送信する。
【０１４３】
さらに、演算処理部１７６は、第３動作設定処理の場合と同様、サーバに対してＰＨＳ方式を用いて画像データを送信させるように要求するため要求信号をベースバンド処理部１３０に出力する。これに伴い、第３動作設定処理の場合と同様に、ベースバンド処理部１３０は、送信部１７０ａ、アンテナ共用器１７０、アンテナ１１０とともに、ＰＨＳ方式の基地局を介してサーバに要求信号を送信する。
【０１４４】
その後、演算処理部１７６は、第５動作設定処理の場合と同様、サーバに対してＰＤＣ方式を用いて画像データを送信させるように要求するため要求信号をベースバンド処理部１３０に出力する。これに伴い、第５動作設定処理の場合と同様に、ベースバンド処理部１３０は、送信部１７０ａ、アンテナ共用器１７０、アンテナ１１０とともに、ＰＤＣ方式の基地局を介してサーバに要求信号を送信する。
【０１４５】
以上により、画像データを要求するための要求信号がＷ−ＣＤＭＡ方式の基地局を介してサーバに送信されるとともに、この要求信号と同一の要求信号ＰＤＣ方式の基地局を介してサーバに送信され、さらに、この要求信号と同一の要求信号ＰＨＳ方式の基地局を介してサーバに送信される。
【０１４６】
このような要求信号が、それぞれ異なる基地局を介してサーバに受信されると、このサーバが、画像データをＰＤＣ方式の基地局を介して当該車載ソフトウェア統合通信装置に送信するとともに、当該画像データと同一の画像データをＷ−ＣＤＭＡ方式の基地局を介して当該車載ソフトウェア統合通信装置に送信し、当該画像データと同一の画像データをＰＨＳ方式の基地局を介して当該車載ソフトウェア統合通信装置に送信する。
【０１４７】
その後、当該車載ソフトウェア統合通信装置では、アンテナ１１０が、ＰＤＣ方式の基地局からの画像データを、ＰＤＣ方式の受信ＲＦ信号として受信すると、Ｗ−ＣＤＭＡ方式の基地局からの画像データを、Ｗ−ＣＤＭＡ方式の受信ＲＦ信号として受信し、ＰＨＳ方式の基地局からの画像データを、ＰＨＳ方式の受信ＲＦ信号として受信する。
【０１４８】
これに伴い、Ｗ−ＣＤＭＡ方式の受信ＲＦ信号、ＰＨＳ方式の受信ＲＦ信号、ＰＤＣ方式の受信ＲＦ信号が、同時に、ローノイズアンプ１５０、受信ＲＦバンドパスフィルタ１５１を介して受信ダウンコンバートミキサ１５２に入力されることになる。
【０１４９】
すると、受信ダウンコンバートミキサ１５２は、受信ハイブリット１５９からの出力（すなわち、受信ＲＦローカル発振器１５５〜１５７の発振出力ＲＸ１〜ＲＸ３の加算信号）に基づき、受信ＲＦバンドパスフィルタ１５１の出力をダウンコンバートして、ＰＤＣ方式の受信ＩＦ信号、Ｗ−ＣＤＭＡ方式の受信ＩＦ信号、ＰＨＳ方式の受信ＩＦ信号とを同時に出力する。
【０１５０】
この場合、図１３（ａ）のように、Ｗ−ＣＤＭＡ方式の受信ＩＦ信号の中心周波数が１９０Ｍｚ、ＰＨＳ方式の受信ＩＦ信号の中心周波数が２００ＭＨｚ、ＰＤＣ方式の受信ＩＦ信号の中心周波数２０２で、ＰＤＣ方式の受信ＩＦ信号、ＰＨＳ方式の受信ＩＦ信号、Ｗ−ＣＤＭＡ方式の受信ＩＦ信号のそれぞれの周波数帯域が、互いに、隣接している。
【０１５１】
次に、このように出力されるＰＤＣ方式の受信ＩＦ信号、Ｗ−ＣＤＭＡ方式の受信ＩＦ信号、ＰＨＳ方式の受信ＩＦ信号が同時に受信ＩＦバンドパスフィルタ１５３を介して直交復調器１５４に入力される。この場合、演算処理部１７６は、Ｗ−ＣＤＭＡ方式の受信ＩＦ信号を対象として可変ゲインアンプ１５４０の可変利得を制御する。すなわち、後述するＷ−ＣＤＭＡ方式での復調データに基づき算出することになる。このため、可変ゲインアンプ１５４０は、可変利得に基づき、受信ＩＦバンドパスフィルタ１５３の出力を一定電力で出力させるように電力増幅する。
【０１５２】
これに伴い、乗算器１５４１、１５４２は、位相移行器１５４３とともに、受信ＩＦローカル発振器１６２からの発振出力（１９０ＭＨｚ）に基づき、可変ゲインアンプ１５４０の出力をダウンコンバートして受信ベースバンド信号Ｉ、Ｑを出力する。すなわち、Ｗ−ＣＤＭＡの受信ＩＦ信号が「ｚｅｒｏＩＦ方式」で復調され、ＰＨＳ方式、ＰＤＣ方式の受信ＩＦ信号が「ｎｅａｒ　ｚｅｒｏＩＦ方式」で復調されることになる。
【０１５３】
なお、ＰＨＳ、ＰＤＣ方式の受信ＩＦ信号よりも周波数の低いＷ−ＣＤＭＡ方式の受信ＩＦ信号に対して、、受信ＩＦローカル発振器１６２からの発振出力（１９０ＭＨｚ）が対応している。
【０１５４】
ここで、この受信ベースバンド信号Ｉには、Ｗ−ＣＤＭＡ、ＰＨＳ方式、ＰＤＣ方式のそれぞれに対応する受信ベースバンド信号の実部が含まれ、それぞれのベースバンド信号の実部の周波数帯域が隙間を開けて隣接している。受信ベースバンド信号Ｑには、Ｗ−ＣＤＭＡ、ＰＨＳ方式、ＰＤＣ方式のそれぞれに対応する受信ベースバンド信号の虚部が含まれ、それぞれのベースバンド信号の虚部の周波数帯域が隙間を開けて隣接している。
【０１５５】
次に、ローパスフィルタ１６０ａ、１６０ｂは、受信ベースバンド信号Ｉ、Ｑのうち、カットオフ周波数１２ＭＨｚにてフィルタ出力を、図９（ｂ）に示すように出力する。すると、アナログ／デジタル変換器１６１ａ、１６１ｃは、それぞれ、ローパスフィルタ１６０ａ、１６０ｂからフィルタ出力を、高速サンプリング周波数にてサンプリング動作して受信ベースバンド信号Ｉｄ、Ｑｄを出力する。
【０１５６】
次に、ベースバンド処理部１３０は、アナログ／デジタル変換器１６１ａ、１６１ｃから出力される受信ベースバンド信号Ｉｄ、ＱｄをＰＨＳ方式に対応して復調する。同時に、ベースバンド処理部１３０は、受信ベースバンド信号Ｉｄ、ＱｄをＷ−ＣＤＭＡ方式に対応して復調する。さらに、同時に、ベースバンド処理部１３０は、受信ベースバンド信号Ｉｄ、ＱｄをＰＤＣ方式に対応して復調する。
【０１５７】
このことにより、ＰＤＣ方式、Ｗ−ＣＤＭＡ方式、ＰＨＳ方式のそれぞれで受信された画像データとして復調データとして同時に取得することができる。これに伴い、演算処理部１７６は、それぞれの復調データのうちいずれか１つを記憶装置１７８に記憶させるとともに、この１つの復調データに基づき画像を表示部１８０に表示させる。
【０１５８】
次に、本実施形態の特徴について説明する。
【０１５９】
先ず、複数の通信方式を用いて同時に受信する場合、２つ以上の通信方式のそれぞれに対応するＲＦ信号が、それぞれ、隣接する周波数帯域のベースバンド信号にダウンコンバートされる。ここで、１つのベースバンド処理部１３０により、それぞれ隣接する周波数帯域のベースバンド信号が、複数の通信方式に対応するそれぞれのベースバンド信号として扱われるため、それぞれのベースバンド信号が互いにノイズになることなく、複数の通信方式に対応するそれぞれのベースバンド信号が同時に復調処理される。さらに、ベースバンド処理部１３０では、個々に隣接する周波数帯域のベースバンド信号が扱われるため、ベースバンド処理部としては、その処理可能な周波数帯域幅が小さなものを用いることが可能になる。
【０１６０】
また、ベースバンド処理部１３０の動作速度、アナログ／デジタル変換器１６１ａ、１６１ｃのサンプリング周波数は、それぞれ、ダウンロードに用いる通信方式により必要に応じて可変するため、消費電力を抑えうる。
【０１６１】
（第２実施形態）
上記第１実施形態では、例えば、ＰＨＳ方式、Ｗ−ＣＤＭＡ方式のそれぞれで同時受信する場合、Ｗ−ＣＤＭＡ方式に対応するＩＦ信号を可変ゲインアンプで電力増幅する例について説明したが、Ｗ−ＣＤＭＡ方式に対応するＩＦ信号の電力レベルに比べて、ＰＨＳ方式に対応するＩＦ信号の電力レベルが極端に小さいと、ベースバンド処理部１３０では、ＰＨＳ方式に対応する復調処理を行おうとしても、ＰＨＳ方式に対応する復調データが得られない可能性がある。
【０１６２】
そこで、本実施形態では、このようなことに対処して復調できるようにする。この場合の受信部１７０ｂの構成を図１４に示す。
【０１６３】
図１４において、本実施形態の受信部１７０ｂは、図３に示す構成に対して、受信専用アンテナ２５０、受信ＲＦバンドパスフィルタ２５５、１５１ａ、可変ゲインアンプ６１０、受信ダウンコンバータ１５２ａ、受信ＲＦローカル発振器２５５Ａ、受信ＩＦバンドパスフィルタ１５３ａ、受信ＩＦパス切換スイッチ６２０ａ、直交復調器６３０、受信ＩＦローカル発振器６２５、フィルタ１６０ｃ、１６０ｄおよびアナログ／デジタル変換器１６１ｅ、１６１ｇが追加構成されている。その他の構成は、上記第１実施形態と同様である。
【０１６４】
受信専用アンテナ２５０は、各種通信方式に対応するＲＦ信号を受信し、可変ゲインアンプ６１０は、受信ＲＦバンドパスフィルタ２５５を介して入力されるＲＦ信号を、可変利得にて電力増幅して電力増幅信号を出力する。受信ダウンコンバータ１５２ａは、受信ＲＦバンドパスフィルタ１５１ａを介して入力される電力増幅信号を、受信ＲＦローカル発振器２５５Ａからの発振出力に基づき、ダウンコンバートする。この受信ＲＦローカル発振器２５５Ａは、可変可能な発振周波数で発振して発振出力を出力する。
【０１６５】
受信ＩＦバンドパスフィルタ１５３ａは、受信ダウンコンバータ１５２ａからの出力のうち所定周波数帯域の周波数成分をフィルタ出力として出力する。受信ＩＦパス切換スイッチ６２０ａは、受信ＩＦバンドパスフィルタ１５３ａの出力端子を、直交復調器６３０、１５４のいずれか一方から他方に切換接続する。
【０１６６】
また、直交復調器６３０は、上記第１実施形態で説明した直交復調器１５４と同様である。また、受信ＩＦローカル発振器６２５、ローパスフィルタ１６０ｃ、１６０ｄ、アナログ／デジタル変換器１６１ｅ、１６１ｇは、それぞれ、上記第１実施形態で説明した受信ＩＦローカル発振器１６２、ローパスフィルタ１６０ａ、１６０ｂ、アナログ／デジタル変換器１６１ａ、１６１ｃと同様で有る。
【０１６７】
このように構成された本実施形態において、Ｗ−ＣＤＭＡ方式、ＰＨＳ方式のそれぞれで同時に受信する場合、演算処理部１７６が、受信ＩＦパス切換スイッチ６２０ａによって受信ＩＦバンドパスフィルタ１５３ａの出力端子と直交復調器６３０との間を接続するとともに、次のように、Ｗ−ＣＤＭＡ方式の基地局からの受信レベル、ＰＨＳ方式の基地局からの受信レベルをそれぞれ求めるための処理を行う。
【０１６８】
すなわち、上記第１の実施形態で述べた第１のダウンコンバート処理と同様に、受信部１７０ｂのローパスフィルタ１６０ａ、１６０ｂ、受信ＩＦローカル発振器１６２、アナログ／デジタル変換器１６１ａ、１６１ｃ、ベースバンド処理部１３０のそれぞれに対して設定処理するとともに、ベースバンド処理部１３０からの復調データに基づいて、Ｗ−ＣＤＭＡ方式で受信された受信レベルを求める。
【０１６９】
さらに、演算処理部１７６が、上記第１の実施形態で述べた第３のダウンコンバート処理と同様に、受信部１７０ｂのローパスフィルタ１６０ａ、１６０ｂ、受信ＩＦローカル発振器１６２、アナログ／デジタル変換器１６１ａ、１６１ｃ、ベースバンド処理部１３０のそれぞれに対して設定処理を行うとともに、ベースバンド処理部１３０により得られる復調データに基づいて、ＰＨＳ方式で受信された受信レベルを求める。このように求めれたＰＨＳ方式での受信レベルと、Ｗ−ＣＤＭＡ方式での受信レベルとを比較して、受信レベルが大きい方の通信方式を求める。なお、以下、例えば、Ｗ−ＣＤＭＡ方式での受信レベルの方が、ＰＨＳ方式での受信レベルに比べて大きい場合について示す。
【０１７０】
さらに、演算処理部１７６が、受信ＩＦパス切換スイッチ６２０ａに対して受信ＩＦバンドパスフィルタ１５３ａの出力端子を、直交復調器１５４に接続させる。そして、上記第１の実施形態で述べた第２のダウンロード処理と同様に、受信部１７０ｂのローパスフィルタ１６０ａ、１６０ｂ、受信ＩＦローカル発振器１６２、アナログ／デジタル変換器１６１ａ、１６１ｃ、ベースバンド処理部１３０に対して処理を行う。これに加えて、演算処理部１７６が、受信ＲＦローカル発振器２５５Ａに対して、ＰＨＳ方式に対応する発振出力ＲＸ２（発振周波数：１６９５ＭＨｚ〜１７２０ＭＨｚ）で発振させる。
【０１７１】
次に、受信専用アンテナ２５０が、ＰＨＳ方式、ＰＤＣ方式、Ｗ−ＣＤＭＡ方式のそれぞれに対応するＲＦ信号を受信し、それぞれに対応するＲＦ信号が受信ＲＦバンドパスフィルタ２５５を介して可変ゲインアンプ６１０に入力さる。この演算処理部１７６が、ＰＨＳ方式を対象として可変利得を制御する。すなわち、演算処理部１７６が、自身で求められるＰＨＳ方式での復調データに基づいて可変利得を算出することになる。このため、可変ゲインアンプ６１０は、可変利得に基づき、ＲＦバンドパスフィルタ２５５の出力を一定出力で出力させるように電力増幅して電力増幅信号を出力する。
【０１７２】
次に、受信ダウンコンバータ１５２ａは、受信ＲＦバンドパスフィルタ１５１ａを介して入力される電力増幅信号を、受信ＲＦローカル発振器２５５Ａからの発振出力ＲＸ２に基づき、ダウンコンバートして受信ＩＦ信号を出力する。この発振出力ＲＸ２は、ＰＨＳ方式に対応する発振周波数であるため、ＰＨＳ方式に対応する受信ＩＦ信号が得られる。
【０１７３】
次に、受信ＩＦバンドパスフィルタ１５３ａは、受信ダウンコンバータ１５２ａからの受信ＩＦ信号に基づきフィルタ出力を受信ＩＦパス切換スイッチ６２０ａを介して直交復調器１５４に出力する。この直交復調器１５４には、上記第１の実施形態で述べた第３のダウンコンバート処理と同様に、受信ＩＦバンドパスフィルタ１５３からのフィルタ出力が入力される。このことにより、直交復調器１５４には、受信ＩＦバンドパスフィルタ１５３、１５３ａのフィルタ出力が加算されて入力されることになる。以下、直交復調器１５４、受信ＩＦローカル発振器１６２、ローパスフィルタ１６０ａ、１６０ｂ、アナログ／デジタル変換器１６１ａ、１６１ｃ、ベースバンド処理部１３０は、上記第１実施形態と同様に動作する。
【０１７４】
以上により、直交復調器１５４には、受信ＩＦバンドパスフィルタ１５３、１５３ａのフィルタ出力が加算されて入力される。送受信アンテナ１１０で受信されたＰＨＳ方式での受信レベルが小さい場合でも、Ｗ−ＣＤＭＡ方式に対応するベースバンド信号（直交復調器１５４から出力される）と、ＰＨＳ方式に対応するベースバンド信号（直交復調器１５４から出力される）との電力レベルの差を小さくすることができる。
【０１７５】
このようなＷ−ＣＤＭＡ方式、ＰＨＳ方式のそれぞれにに対応するベースバンド信号が、ローパスフィルタ１６０ａ、１６０ｂ、アナログ／デジタル変換器１６１ａ、１６１ｃを介してベースバンド処理部１３０に入力されるため、このベースバンド処理部１３０では、Ｗ−ＣＤＭＡ方式に対応する復調処理と、ＰＨＳ方式に対応する復調処理とを同時に行うことができる。
【０１７６】
なお、上記第２実施形態では、直交復調器１５４には、受信ＩＦバンドパスフィルタ１５３、１５３ａのフィルタ出力が加算されて入力され、この直交復調器１５４が、この加算されたフィルタ出力に基づき、Ｗ−ＣＤＭＡ方式、ＰＨＳ方式のそれぞれに対応するベースバンド信号を出力する例について説明したが、これに限らず、次のようにしてもよい。
【０１７７】
先ず、受信ＩＦパス切換スイッチ６２０ａに対して受信ＩＦバンドパスフィルタ１５３ａの出力端子を、直交復調器６３０に接続させる。これに加えて、直交復調器６３０は、ＰＨＳ方式に対応するベースバンド信号を、ローパスフィルタ１６０ｃ、１６０ｄおよびデジタル／アナログ変換器１２９ｅ、１２９ｇをベースバンド処理部１３０に出力する。また、直交復調器１５４は、Ｗ−ＣＤＭＡ方式に対応するベースバンド信号を、ローパスフィルタ１６０ａ、１６０ｂおよびデジタル／アナログ変換器１６１ａ、１６１ｃをベースバンド処理部１３０に出力する。このため、ベースバンド処理部１３０は、ＰＨＳ方式に対応するベースバンド信号と、Ｗ−ＣＤＭＡ方式に対応するベースバンド信号と同時に復調処理する。なお、送受信アンテナ１１０、受信専用アンテナ２５０を用いて、ダイバーシティ受信行うようにしてもよい。
【０１７８】
なお、上記各実施形態では、通信方式として、ＰＨＳ方式、ＰＤＣ方式、Ｗ−ＣＤＭＡ方式を用いた例について説明したが、これに限らず、ＧＰＳ受信機、ＶＩＣＳ、ＥＴＣなどを適用することもできる。
【０１７９】
なお、上記各実施形態では、複数の通信方式を用いてダウンロードする場合、通信方式毎に要求信号を時分割で送信させる例について説明したが、これに限らず、通信方式毎に要求信号を同時に送信させるようにしてもよい。
【０１８０】
この場合、複数の通信方式のベースバンド信号として各要求信号を同時に個々に隣接する周波数帯域にて出力するベースバンド処理部と、複数の通信方式の対応して個々に異なる発振周波数で発振して複数の発振信号を出力する送信発振部とを備える。これに加えて、複数の発振信号に基づき、複数の通信方式のベースバンド信号を個々に隣接する周波数帯域のＲＦ信号にアップコンバートする送信周波数変換部と、アップコンバートされた個々のＲＦ信号を同時に送信するための送信ＲＦ送信部とを有するようにしてもよい。
【０１８１】
【＊１７０】
さらに、上記各実施形態では、統合通信装置として、車両に搭載した車載ソフトウェア統合通信装置に適用した例について説明したが、これに限らず、ポータブル式の通信装置に適用してもよい。
【０１８２】
また、上記各実施形態では、ダウンロードに用いる通信方式を決めるために、ＧＰＳ受信機で取得された車両位置情報と、通信エリアマップを含む地図情報とを用いる例について説明したが、これに限らず、ＰＨＳ方式、Ｗ−ＣＤＭＡ方式、ＰＤＣ方式のそれぞれの受信レベルを計測し、この計測レベルに基づき、ダウンロードに用いる通信方式を決めるようにしてもよい。
【０１８３】
また、上記各実施形態では、車載ソフトウェア統合通信装置が通信する例としてダウンロードする例について説明したが、これに限らず、通話処理、アップロード、等各種の通信処理を適用してもよい。
【０１８４】
以下、上記実施形態と特許請求項の範囲の構成との対応関係について説明すると、アンテナ１１０、統合無線部１７０、ローノイズアンプ１５０および受信ＲＦバンドパスフィルタ１５１がＲＦ受信部に対応し、受信ＲＦローカル発振器１５５〜１５７および受信ＩＦローカル発振器１６２が発振部に相当し、受信ダウンコンバートミキサ１５２および直交復調器１５４が周波数変換部に相当し、受信ＲＦローカル発振器１５５〜１５７が第１の発振部に相当し、受信ダウンコンバートミキサ１５２がＲＦ変換部に相当し、受信ＩＦ信号が中間信号に相当し、受信ＩＦバンドパスフィルタがバンドパスフィルタに相当し、受信ＩＦローカル発振器１６２が第２の発振部に相当し、直交復調器１５４が第２の変換部に相当し、アナログ／デジタル変換器１６１ａ、１６１ｃがデジタル変換手段に相当する。
【図面の簡単な説明】
【図１】本発明の第１実施形態に係る車載ソフトウェア統合通信装置の概略構成を示す図である。
【図２】図１に示す送信部の構成を示す図である。
【図３】図１に示す受信部の構成を示す図である。
【図４】図３に示す直交復調器の構成を示す図である。
【図５】上記第１実施形態の作動を説明するための図である。
【図６】上記第１実施形態の作動を示すフローチャートである。
【図７】図１に示す作動を説明するための信号波形を示す図である。
【図８】図１に示す作動を説明するための信号波形を示す図である。
【図９】図１に示す作動を説明するための信号波形を示す図である。
【図１０】図１に示す作動を説明するための信号波形を示す図である。
【図１１】図１に示す作動を説明するための信号波形を示す図である。
【図１２】図１に示す作動を説明するための信号波形を示す図である。
【図１３】図１に示す作動を説明するための信号波形を示す図である。
【図１４】本発明の第２実施形態に係る車載ソフトウェア統合通信装置の概略構成を示す図である。
【符号の説明】
１５０…ローノイズアンプ、１５１…受信ＲＦバンドパスフィルタ、
１５２…受信ダウンコンバートミキサ、１５３…受信ＩＦバンドパスフィルタ、１５４…直交復調器、１６０ａ、１６０ｂ…ローパスフィルタ、
１６１ａ、１６１ｃ…アナログ／デジタル変換器、
１５５〜１５７…受信ＲＦローカル発振器、
１５８ａ〜１５８ｃ…常開型スイッチ、１５９…受信ハイブリット、
１６２…受信ＩＦローカル発振器。
【図１】
2004023358.tif 000003
【図２】
2004023358.tif 000004
【図３】
2004023358.tif 000005
【図４】
2004023358.tif 000006
【図５】
2004023358.tif 000007
【図６】
2004023358.tif 000008
【図７】
2004023358.tif 000009
【図８】
2004023358.tif 000010
【図９】
2004023358.tif 000011
【図１０】
2004023358.tif 000012
【図１１】
2004023358.tif 000013
【図１２】
2004023358.tif 000014
【図１３】
2004023358.tif 000015
【図１４】
2004023358.tif 000016